(57)【特許請求の範囲】
【請求項１】
遊技球タンクから供給された遊技球を受け入れるための受入口が上端に形成されるとともに、前記受入口から入った後に内部を通過した遊技球を球受皿に払い出すための払出口および機外に排出するための排出口が下端にそれぞれ形成され、遊技盤の上面および側面に沿って配置された誘導樋と、
前記誘導樋の上部付近に配置され、前記受入口から前記誘導樋の内部に入った遊技球に係合可能な係合部材を有し、前記係合部材を動作させてその係合する遊技球を前記誘導樋内部の下流側へ送り出す払出部と、
前記誘導樋の上部付近に配置され、前記受入口から前記誘導樋の内部に入った遊技球を前記係合部材に係合する位置に支持する係合状態と前記係合部材から離間する位置に支持する離間状態とで変更可能な支持部材と、
前記誘導樋の内部に配置され、前記払出口を開放するとともに前記排出口を閉鎖する払出状態と前記払出口を閉鎖するとともに前記排出口を開放する排出状態とで変更可能な開閉部材と、
前記誘導樋の上部付近に配置され、前記支持部材を操作して前記係合状態に変更させるとともに前記開閉部材を操作して前記払出状態に変更させる払出動作と前記支持部材を操作して前記離間状態に変更させるとともに前記開閉部材を操作して前記排出状態に変更させる排出動作とを実行可能な操作部材と、
を備えることを特徴とする遊技球誘導機構。
【請求項２】
請求項１に記載の遊技球誘導機構において、
前記係合部材は、前記受入口から前記誘導樋の内部に入った遊技球に上方または側方から係合可能であることを特徴とする遊技球誘導機構。
【請求項３】
請求項１または請求項２のいずれか１項に記載の遊技球誘導機構において、
前記操作部材の前方に配置され、前記操作部材を前記払出動作と前記排出動作とを実行可能に保持する保持部材を備えることを特徴とする遊技球誘導機構。
【発明の詳細な説明】
【技術分野】
【０００１】
本発明は、パチンコ機などの遊技機の技術分野に属する。
【背景技術】
【０００２】
特許文献１に記載の遊技機では、遊技機タンクおよびタンクレールが遊技盤の上側に配置され、払出装置および進路切替機構が遊技盤の右側に配置され、進路切替機構の下流側に並んで接続される誘導通路および球抜き機構も遊技盤の右側に配置される。
【先行技術文献】
【特許文献】
【０００３】
【特許文献１】特開２０００−７９２３８号公報（第５頁、図１１〜１４）
【発明の概要】
【発明が解決しようとする課題】
【０００４】
しかし、特許文献１に記載の遊技機においては、遊技盤の右側に配置される構成が多く、遊技盤の左右方向のサイズを大きくして遊技領域を拡大することが困難であった。
本発明は、このような課題に鑑みなされたものであり、その目的とするところは、遊技盤の左右方向のサイズを大きくして遊技領域を拡大したいというニーズに応えることにある。
【課題を解決するための手段】
【０００５】
上記課題を解決するためになされた請求項１に係る遊技球誘導機構は、
遊技球タンクから供給された遊技球を受け入れるための受入口が上端に形成されるとともに、前記受入口から入った後に内部を通過した遊技球を球受皿に払い出すための払出口および機外に排出するための排出口が下端にそれぞれ形成され、遊技盤の上面および側面に沿って配置された誘導樋と、
前記誘導樋の上部付近に配置され、前記受入口から前記誘導樋の内部に入った遊技球に係合可能な係合部材を有し、前記係合部材を動作させてその係合する遊技球を前記誘導樋内部の下流側へ送り出す払出部と、
前記誘導樋の上部付近に配置され、前記受入口から前記誘導樋の内部に入った遊技球を前記係合部材に係合する位置に支持する係合状態と前記係合部材から離間する位置に支持する離間状態とで変更可能な支持部材と、
前記誘導樋の内部に配置され、前記払出口を開放するとともに前記排出口を閉鎖する払出状態と前記払出口を閉鎖するとともに前記排出口を開放する排出状態とで変更可能な開閉部材と、
前記誘導樋の上部付近に配置され、前記支持部材を操作して前記係合状態に変更させるとともに前記開閉部材を操作して前記払出状態に変更させる払出動作と前記支持部材を操作して前記離間状態に変更させるとともに前記開閉部材を操作して前記排出状態に変更させる排出動作とを実行可能な操作部材と、
を備えることを特徴とする。
【０００６】
このように構成された本発明の遊技球誘導機構によれば、誘導樋の上部付近に配置される払出部、支持部材および操作部材が遊技盤の上方に配置され、誘導樋および開閉部材が遊技盤の側方に配置される。ここで、開閉部材については、誘導樋の内部に配置されるため、遊技盤の側方に配置される構成が外観上誘導樋のみとなる。
【０００７】
したがって、本発明の遊技球誘導機構によれば、特許文献１に記載の遊技機とは異なり、遊技盤の側方に並べて配置される構成がなく、遊技盤の左右方向のサイズを大きくして遊技領域を拡大したいというニーズに応えることができる。
【０００８】
また、請求項２に係る遊技球誘導機構は、請求項１に記載の遊技球誘導機構において、前記係合部材は、前記受入口から前記誘導樋の内部に入った遊技球に上方または側方から係合可能であることを特徴とする。
【０００９】
このように構成された本発明の遊技球誘導機構によれば、払出部の係合部材に誘導樋内の遊技球の重量が作用せず、払出部の係合部材を安定して動作させることができる。
また、請求項３に係る遊技球誘導機構は、請求項１または請求項２のいずれか１項に記載の遊技球誘導機構において、前記操作部材の前方に配置され、前記操作部材を前記払出動作と前記排出動作とを実行可能に保持する保持部材を備えることを特徴とする。
【００１０】
このように構成された本発明の遊技球誘導機構によれば、操作部材を破壊して誘導樋内部の遊技球を取り出すという不正行為を、保持部材が邪魔となって行いにくくなる。したがって、上述のような不正行為を防ぐための専用部品をわざわざ備えなくても、上述のような保持部材を用いて不正行為を行いにくくすることができる。
【図面の簡単な説明】
【００１１】
【図１】遊技球誘導機構１の正面図
【図２】遊技球誘導機構１の正面図（蓋部材１１ｂおよびカバー３４の撤去時）
【図３】遊技球誘導機構１の側面図
【図４】遊技球誘導機構１のＡＡ断面図（払出時）
【図５】遊技球誘導機構１のＡＡ断面図（払出時から球抜時への移行時）
【図６】遊技球誘導機構１のＡＡ断面図（球抜時）
【発明を実施するための形態】
【００１２】
以下に本発明の実施形態を図面とともに説明する。なお、本発明はこの実施形態に限定されるものではなく、様々な態様にて実施することが可能である。
［１．遊技球誘導機構１の構成の説明］
図１に示すように、本実施形態の遊技球誘導機構１は、遊技球タンク１００から供給される遊技球を誘導する誘導樋１０と、誘導樋１０内の遊技球を払い出す払出部２０と、誘導樋１０を払出状態と球抜状態とで切り替える切替部３０と、を備える。遊技球誘導機構１の各構成について以下に順に説明する。
【００１３】
［１．１．誘導樋１０の構成の説明］
誘導樋１０は合成樹脂製であり、図２および図３に示すように、長尺状の中樋１１と、中樋１１の上端に取り付けられる上樋１２と、中樋１１の下端に取り付けられる下樋１３と、から構成されている。
【００１４】
中樋１１は、前方が開放される断面コの字形状で長尺の樋部材１１ａの開口を長尺で板状の蓋部材１１ｂで閉塞した構成を有し、誘導樋１０の遊技機への装着時にはその長手方向が鉛直方向と一致する姿勢で遊技盤の右側の側面に沿って配置される。なお、中樋１１の上部は、後方へクランク状に折れ曲がった形状になっている。また、蓋部材１１ｂは上下方向に移動可能になっている。さらに、蓋部材１１ｂの裏面の上部、中央、下部それぞれには、右斜め上方に傾斜して移動板３２を左右方向に案内する３つの案内溝１１ｃが形成されており、蓋部材１１ｂを上方向に移動させると案内溝１１ｃに係合する移動板３２が中樋１１の内部を左方向に移動し、蓋部材１１ｂを下方向に移動させると案内溝１１ｃに係合する移動板３２が中樋１１の内部を右方向に移動するようになっている。また、蓋部材１１ｂの上端からは突起１１ｄが前方向に突出しており、この突起１１ｄは後述する操作レバー３３の係止部３３ｃに内挿されている。
【００１５】
上樋１２は、前方が開放される箱形状で水平方向に長い筐体１２ａの開口を蓋部材で閉塞した構成を有し、誘導樋１０の遊技機への装着時にはその長手方向が水平方向と一致する姿勢で遊技盤の上面に沿って配置される。また、上樋１２の左部は遊技球タンク１００の右端部に連結され、遊技球タンク１００の遊技球が開口（受入口１２ｂ）から上樋１２内部に流入するようになっている。また、上樋１２の右下部は中樋１１の上部に連結され、上樋１２内部の遊技球が中樋１１内部に流入するようになっている。また、上樋１２には、後述する払出部２０のスクリュー部材２１および切替部３０の回動板３１が内蔵されている。
【００１６】
下樋１３は、筒状の筐体１３ａの下部から二つの筒状の延出部１３ｂ，１３ｃが後方へ延出する構成を有し、誘導樋１０の遊技機への装着時には中樋１１とともに遊技盤の右側の側面に沿って配置される。また、下樋１３の筐体１３ａは中樋１１の下部に接続されており、中樋１１内部の遊技球が筐体１３ａ内部に流入するようになっている。また、左側の延出部１３ｂは、後端が遊技機側の球抜通路（図示省略）に接続されており、筐体１３ａとの境界に形成された開口（球抜口１３ｄ）を経て筐体１３ａから流入した遊技球を球抜通路に誘導するようになっている。また、右側の延出部１３ｃは、後端が遊技機側の払出通路（図示省略）に接続されており、筐体１３ａとの境界に形成された開口（払出口１３ｅ）を経て筐体１３ａから流入した遊技球を払出通路に誘導するようになっている。
【００１７】
［１．２．払出部２０の構成の説明］
払出部２０は、スクリュー部材２１と、モータ２２と、から構成されている。
スクリュー部材２１は、円柱形状の軸部材２１ａの周囲に一条の羽根２１ｂが螺旋状に形成された構成を有し、軸部材２１ａの延出方向が遊技機の左右方向に沿う姿勢で、回転可能に上樋１２内の上部に取り付け、上樋１２内の遊技球に上方から係合するようになっている。なお、スクリュー部材２１は係合部材に該当する。
【００１８】
モータ２２は、上樋１２の右部に取り付けられ、その出力軸がスクリュー部材２１の右端に取り付けられており、出力軸を回転させてスクリュー部材２１を回転駆動する。
［１．３．切替部３０の構成の説明］
切替部３０は、回動板３１と、移動板３２と、操作レバー３３と、カバー３４と、から構成されている。
【００１９】
回動板３１は、板状の部材であり、その上面が上樋１２内でスクリュー部材２１の下面に対向するよう配置され、後端（左端）付近を遊技機の前後方向に沿って貫く回転軸３１ａを中心として回動可能となっている。また、回動板３１の先端（右端）からは突起３１ｂが前方向に突出しており、この突起３１ｂは、操作レバー３３の係止部３３ｂに内挿されている。なお、回動板３１は支持部材に該当する。
【００２０】
移動板３２は、断面が略Ｌ字形状の長尺部材であり、長尺状の板材である長尺部３２ａと、長尺部３２ａの下端から水平方向に折れ曲がるとともにその上面側が湾曲面となっている折曲部３２ｂとからなる。また、移動板３２の長尺部３２ａの上部は、中樋１１の形状に合わせて折れ曲がっている。さらに、移動板３２は、長尺部３２ａの両面が遊技機の左右方向を向く姿勢で中樋１１の内部に配置され、長尺部３２ａの上部、中央および下部から前方に突出する３つの突起３２ｃが中樋１１の蓋部材１１ｂの３つの案内溝１１ｃにそれぞれ内挿されている。そして、移動板３２は、中樋１１の蓋部材１１ｂの上下方向への移動に伴って蓋部材１１ｂの３つの案内溝１１ｃに案内されて、中樋１１の内部を遊技機の左右方向に移動するようになっている。なお、移動板３２は開閉部材に該当する。
【００２１】
操作レバー３３は、平板状の部材であり、上樋１２の前部に取り付けられたカバー３４の内部に配置され、カバー３４に案内されて遊技機の上下方向に移動可能となっている。また、操作レバー３３の上端からは把持部３３ａが前方に向けて突出するよう形成されている。さらに、操作レバー３３の下端には、回動板３１の先端の突起３１ｂを係止するためのリング状の係止部３３ｂが左側に形成されるとともに、中樋１１の蓋部材１１ｃの上端の突起１１ｄを係止するためのリング状の係止部３３ｃが右側に形成されている。なお、操作レバー３３は操作部材に該当し、カバー３４は保持部材に該当する。
【００２２】
［２．遊技球誘導機構１の動作の説明］
次に、遊技球誘導機構１の動作について説明する。
（１）払い出し
まず、操作レバー３３を引き上げて上方に移動させると（払出動作）、操作レバー３３の下端の係止部３３ｂに係止される回動板３１の先端の突起３１ｂと係止部３３ｃに係止される蓋部材１１ｂの上端の突起１１ｄが上方に移動する。
【００２３】
回動板３１の突起３１ｂが上方に移動すると、回動板３１が回動してスクリュー部材２１との間が狭まり、誘導樋１０の中樋１１内の遊技球がスクリュー部材２１に係合する状態となる（係合状態、図４参照）。
【００２４】
また、蓋部材１１ｂの突起１１ｄが上方に移動すると、蓋部材１１ｂが上方に移動し、上方に移動する蓋部材１１ｂの案内溝１１ｃに案内されて移動板３２が左方向に移動して、移動板３２の長尺部３２ａが中樋１１の左側の内壁面１１ｅに当接し、折曲部３２ｂが下樋１３の延出部１３ｂに入って球抜口１３ｄを閉鎖するとともに払出口１３ｅを開放する状態となる（払出状態、図４参照）。
【００２５】
ここで、モータ２２を作動させると、スクリュー部材２１が回転して係合する遊技球を１個ずつ誘導樋１０内部の下流側（中樋１１および下樋１３）へ送り出す。そして、送り出された遊技球は、中樋１１を通過して、下樋１３の延出部１３ｂを経て払出口１３ｅから払出通路に入る。
（２）球抜き
一方、操作レバー３３を引き下げて下方に移動させると（排出動作）、操作レバー３３の係止部３３ｂに係止される回動板３１の先端の突起３１ｂと係止部３３ｃに係止される蓋部材１１ｂの上端の突起１１ｄが下方に移動する。
【００２６】
回動板３１の突起３１ｂが下方に移動すると、回動板３１が回動し（図５参照）、回動板３１とスクリュー部材２１との間が離間して中樋１１内の遊技球がスクリュー部材２１に係合しない状態となる（離間状態、図６参照）。
【００２７】
また、蓋部材１１ｂの突起１１ｄが下方に移動すると、蓋部材１１ｂが下方に移動し、下方に移動する蓋部材１１ｂの案内溝１１ｃに案内されて移動板３２が右方向に移動して（図５参照）、移動板３２の長尺部３２ａが中樋１１の右側の内壁面１１ｆに当接し、折曲部３２ｂが下樋１３の延出部１３ｃに入って払出口１３ｅを閉鎖するとともに球抜口１３ｄを開放する状態となる（球抜状態、図６参照）。そして、中樋１１内の遊技球は、中樋１１を通過して、下樋１３の延出部１３ｃを経て球抜口１３ｄから球抜通路に入る。
【００２８】
［３．実施形態の効果］
（１）このように本実施形態の遊技球誘導機構１によれば、次のような作用効果を奏する。すなわち、遊技球誘導機構１を構成する誘導樋１０については、中樋１１が遊技盤の右側の側面に沿って配置され、上樋１２が遊技盤の上面に沿って配置され、下樋１３が中樋１１とともに遊技盤の右側の側面に沿って配置されている。つまり、誘導樋１０は略Ｌ字形状を有しているが、このうちの上樋１２が遊技盤の上方に配置され、中樋１１および下樋１３が遊技盤の側方に配置されている。また、遊技球誘導機構１を構成する払出部２０については、スクリュー部材２１が上樋１２に内蔵され、モータ２２が上樋１２の右部に取り付けられている。さらに、遊技球誘導機構１を構成する切替部３０については、回動板３１が上樋１２に内蔵され、移動板３２が中樋１１の内部に配置され、操作レバー３３およびカバー３４が上樋１２の前方に配置されている。よって、遊技盤の側方に配置される構成は外観上中樋１１および下樋１３のみとなる。したがって、本実施形態の遊技球誘導機構１によれば、特許文献１に記載の遊技機とは異なり、遊技盤の側方に並べて配置される構成がなく、遊技盤の左右方向のサイズを大きくして遊技領域を拡大したいというニーズに応えることができる。
【００２９】
（２）また、本実施形態の遊技球誘導機構１によれば、スクリュー部材２１が、上樋１２内の遊技球に上方から係合するようになっているので、スクリュー部材２１に上樋１２内の遊技球の重量が作用せず、スクリュー部材２１を安定して動作させることができる。
【００３０】
なお、スクリュー部材２１を、遊技球の側方から係合させるようにしても、スクリュー部材２１に上樋１２内の遊技球の重量が作用せず、スクリュー部材２１を安定して動作させることができる。
【００３１】
（３）また、本実施形態の遊技球誘導機構１によれば、操作レバー３３が、上樋１２の前部に取り付けられたカバー３４の内部に配置され、カバー３４に案内されて遊技機の上下方向に移動可能となっているので、操作レバー３３を破壊して誘導樋１０内部の遊技球を取り出すという不正行為を、カバー３４が邪魔となって行いにくくなっている。したがって、上述のような不正行為を防ぐための専用部品をわざわざ備えなくても、上述のようなカバー３４を用いて不正行為を行いにくくすることができる。
【符号の説明】
【００３２】
１…遊技球誘導機構、１０…誘導樋、１１…中樋、１１ａ…樋部材、１１ｂ…蓋部材、１１ｃ…案内溝、１１ｄ…突起、１１ｅ，１１ｆ…内壁面、１２…上樋、１２ａ…筐体、１２ｂ…受入口、１３…下樋、１３ａ…筐体、１３ｂ，１３ｃ…延出部、１３ｄ…球抜口、１３ｅ…払出口、２０…払出部、２１…スクリュー部材、２１ａ…軸部材、２１ｂ…羽根、２２…モータ、３０…切替部、３１…回動板、３１ａ…回転軸、３１ｂ…突起、３２…移動板、３２ａ…長尺部、３２ｂ…折曲部、３２ｃ…突起、３３…操作レバー、３３ａ…把持部、３３ｂ，３３ｃ…係止部、３４…カバー、１００…遊技球タンク
【図１】
0005769536.tif 000002
【図２】
0005769536.tif 000003
【図３】
0005769536.tif 000004
【図４】
0005769536.tif 000005
【図５】
0005769536.tif 000006
【図６】
0005769536.tif 000007